(57)【要約】  本発明は、トコジラミ誘引要素と、横断可能面とこれに従属する１又は複数の隆起とを有する支持部材を備える停泊部と、を備えるトコジラミ監視装置に関する。停泊部は、装置に誘引されたトコジラミが通れる少なくとも１の入り口を規定する。装置は、横断可能面の少なくとも一部を覆うように設けられ且つ装置が載置される面に対して面一となるように構成されたベース部を更に備えても良い。【選択図】図２
2013536688.tif 000002
【特許請求の範囲】
【請求項１】
（ａ）トコジラミ誘引要素と、（ｂ）停泊部と、を備え、前記停泊部は、横断可能面とその上に設けられた１又は複数の隆起とを有する支持部材を備え、前記停泊部は装置が載置される面と面一となるように構成されているトコジラミ監視装置。
【請求項２】
前記１又は複数の隆起は１又は複数の通路を規定する請求項１に記載の装置。
【請求項３】
前記横断可能面は、少なくとも約２．５ミクロンの平均表面粗さを有する請求項２に記載の装置。
【請求項４】
前記停泊部はベース部を更に備え、前記ベース部の少なくとも一部は、透明材料からなり、装置が載置される面と面一となるように構成されている請求項１に記載の装置。
【請求項５】
（ａ）トコジラミ誘引要素と、（ｂ）停泊部と、を備え、前記停泊部は、（ｉ）装置が載置される面と面一となるように構成されたベース部と、（ｉｉ）１又は複数の隆起が垂れ下がるように設けられた横断可能面を有する支持部材と、を備え、前記停泊部は、装置に誘引されたトコジラミが通れる少なくとも１の入り口を規定するトコジラミ監視装置。
【請求項６】
前記１又は複数の隆起は１又は複数の通路を規定し、これらは前記少なくとも１の入り口を通って装置内に侵入するトコジラミが前記１又は複数の通路に侵入できるように配置された請求項５に記載の装置。
【請求項７】
前記横断可能面の少なくとも一部は少なくとも約２．５ミクロンの平均表面粗さを有する露出領域である請求項６に記載の装置。
【請求項８】
前記ベース部は透明材料である請求項５に記載の装置。
【請求項９】
前記ベース部はポリカーボネートから成る請求項８に記載の装置。
【請求項１０】
前記１又は複数の隆起は、約２ｍｍ〜約１０ｍｍ幅の通路を形成するように離隔されている請求項６に記載の装置。
【請求項１１】
前記１又は複数の通路の上面は凹型横断面を有する請求項６に記載の装置。
【請求項１２】
前記横断可能面の前記露出領域は、少なくとも約３．０ミクロンの平均表面粗さを有する請求項７に記載の装置。
【請求項１３】
横断可能面を有する前記支持部材は、アクリロニトリル・ブタジエン・スチレンと高耐衝撃性ポリエチレンから成る群から選択された材料から構成される請求項５に記載の装置。
【請求項１４】
前記横断可能面の前記露出領域の少なくとも一部には、接着剤と粒子状固体から構成されるバインダー混合物が塗布されている請求項７に記載の装置。
【請求項１５】
前記接着剤は水性接着剤から成る請求項１４に記載の装置。
【請求項１６】
前記水性接着剤は、ポリビニルアルコール、セルロースエーテル、メチルセルロース、カルボキシメチルセルロース、及びポリビニルピロリドンから成る群から選択された材料から構成される請求項１５に記載の装置。
【請求項１７】
前記固体は粒子状物質であって、軽石、カーボランダム、カオリン、シリカ、砂、セルロース、及びタルクから成る群から選択された材料から構成される請求項１５に記載の装置。
【請求項１８】
横断可能面を有する前記支持部材は、アクリロニトリル・ブタジエン・スチレンから成り、前記ベース部はポリカーボネートから構成され、前記横断可能面の前記露出領域の少なくとも一部には、接着剤と粒子状固体とから構成されるバインダー混合物が塗布されている請求項７に記載の装置。
【請求項１９】
前記接着剤は水性接着剤から成る請求項１８に記載の装置。
【請求項２０】
（ａ）接着剤と固体とから構成されるバインダー混合物を適切な支持部材の面に塗布する工程と、（ｂ）前記混合物を乾燥させる工程と、を含むトコジラミ用の横断可能面を提供する方法。
【請求項２１】
前記接着剤は水性接着剤から成る請求項２０に記載の方法。
【請求項２２】
前記混合物が乾燥すると、前記支持部材に少なくとも約２．５ミクロンの表面粗さを形成する請求項２０に記載の方法。
【請求項２３】
前記固体は粒子状固体である請求項２３に記載の方法。
【請求項２４】
前記粒子状固体は、軽石、カーボランダム、カオリン、シリカ、砂、セルロース、及びタルクから成る群から選択された材料から構成される請求項２３に記載の方法。
【請求項２５】
前記支持部材は、ポリエチレン、ポリプロピレン、及びアクリロニトリル・ブタジエン・スチレンから成る群から選択された材料から構成される請求項２０に記載の方法。
【請求項２６】
前記接着剤は水性接着剤から成る請求項２０に記載の方法。
【請求項２７】
前記水性接着剤は、ポリビニルアルコール、セルロースエーテル、メチルセルロース、カルボキシメチルセルロース、及びポリビニルピロリドンから成る群から選択された材料から構成される請求項２６に記載の方法。
【請求項２８】
前記接着剤と水の総重量に対して、前記水性接着剤の量が、約１％から約７０％重量の間で存在する請求項２６に記載の方法。
【請求項２９】
前記接着剤／水混合物の容積に対して、前記粒子状固体は約１％〜約３０％ｗ／ｖの間の量で存在する請求項２３に記載の方法。
【請求項３０】
不活性粒子状固体の平均粒径は約５〜約５０ミクロンの間である請求項２３に記載の方法。
【請求項３１】
横断可能面を有する停泊部を備え、前記横断可能面が接着剤と粒子状固体のバインダー混合物が塗布された支持部材を備えるトコジラミ監視装置。
【請求項３２】
前記横断可能面は少なくとも約２．５ミクロンの表面粗さを有する請求項３１に記載の装置。
【請求項３３】
前記接着剤は水性接着剤から成る請求項３１に記載の装置。
【請求項３４】
前記粒子状固体は、軽石、カーボランダム、カオリン、シリカ、砂、セルロース、及びタルクから成る群から選択された材料から構成される請求項３２に記載の装置。
【請求項３５】
前記粒子状固体はカオリンから成り、前記接着剤は水性接着剤から成る請求項３３に記載の装置。
【請求項３６】
前記横断可能面は１又は複数の隆起を備える請求項３１に記載の装置。
【請求項３７】
前記１又は複数の隆起は１又は複数の通路を規定する請求項３６に記載の装置。
【発明の詳細な説明】
【技術分野】
【０００１】
１側面において、本発明はトコジラミ監視装置に関する。他の側面において、本発明は虫横断可能面及びこれを形成する方法に関する。
【背景技術】
【０００２】
トコジラミは、ヒトや他の温血ホストの血を餌とするトコジラミ科（Ｃｉｍｉｃｉｄａｅ）の小型の夜行性の虫である。トコジラミは身を隠す習性を有するため、これらを発見しコントロールするのは難しく、時間もかかる。これは、人間環境に良く適合している一般的なトコジラミ（Ｃｉｍｅｘ  ｌｅｃｔｕｌａｒｉｕｓ：ｃｏｍｍｏｎ  ｂｅｄｂｕｇ）について特に言えることである。他の種類のトコジラミも、ヒト及び／又は動物にとって不快である。
【０００３】
トコジラミは、多くの地域例えば米国ではよくコントロールされているが、近年では、海外旅行の増加がこれらの害虫を再び増加させている。トコジラミには、一度ある場所に定着すると、根絶するのを難しくする多くの特徴がある。したがって、トコジラミが定着する前にトコジラミの存在を見つけるための有効なトラップが必要である。
【０００４】
成虫のトコジラミは、約６ｍｍの体長、５〜６ｍｍの体幅で、卵形のあずき色で、扁平な体をしている。未成熟な幼虫は、見かけは成虫に似ているが、より小さくて色も薄い。トコジラミは飛ばないが、表面を素早く移動できる。雌のトコジラミは人目につかない場所で卵を産み、１日に最高で５個、一生で５００個もの卵を産むことができる。トコジラミの卵はとても小さく、埃ほどの大きさである。生まれた当初、卵はネバネバしていて、表面に付着する。
【０００５】
トコジラミは摂食しなくても長期間生き延びることができる。摂食しなくても幼虫なら数週間、成虫なら数ヶ月間生き延びることができる。それ故に、短期間だけ無人にするだけでは、その場所における蔓延を廃絶させることはできない。更に、空腹時にしか餌に引き寄せられないというトコジラミの食性が、トコジラミの存在を監視するのを難しくしている。従って、トコジラミ捕獲装置が有効であるためには、誘引物質を効果的な濃度で長期間に亘って発生させる必要がある。
【０００６】
トコジラミは夜間に活動し、日中は小さな隙間や割れ目に隠れる傾向がある。従ってトコジラミは、ベッド、ベッドのフレーム、家具、幅木沿い、カーペットの中、その他の無数の場所で、隠れ場所を簡単に見つける。トコジラミは集まる傾向があるが、他の虫のように巣はつくらない。
【０００７】
トコジラミは、細長い口器を通して血を吸うことで栄養を得る。ヒトには３〜１０分の間噛みつくが、ヒトは噛まれていることをあまり感じない。噛まれた後の被害者には、しばしば痒い跡や遅発型過敏反応が現れ、噛まれた箇所が腫れる。しかしながら、トコジラミに噛まれても、人によっては反応が何も起こらなかったり、極めて僅かな反応しか起こらなかったりする。トコジラミに噛まれると、類似する他の害虫例えば蚊やダニ等の場合と同様の症状が発生する。かまれた跡が、トコジラミによるものなのか、或いは別の種類の害虫によるものなのかを判断することは不可能であって、かまれた跡が蕁麻疹や皮膚発疹と誤診されることもある。それ故に、トコジラミが認識されるまでに、長期間に亘ってトコジラミの蔓延が続くことも頻繁に起こる。
【０００８】
トコジラミの蔓延は、トコジラミが新たな場所へ運び込まれることから始まる。トコジラミは所持品に付着したり狭い場所に隠れることができるため、これらは旅行者の所持品に紛れて運ばれる。その結果、人の出入りの激しい建物、例えばホテル、モーテル、宿屋、宿舎、クルーズ船、保護施設、養護施設、キャンプ施設、寮、コンドミニアム、アパート等において特にトコジラミが蔓延しやすい。
【０００９】
ここで説明したトコジラミの全ての特徴のために、トコジラミは検出するのも根絶するのも難しい。害虫除去の専門家や殺虫剤が必要である。部屋からがらくたや不要品を全て運び出し、掃除機でトコジラミと卵を出来る限り取り除き、隠れていそうな場所に殺虫剤をまく必要がある。根絶のためのこの種の処置は、ホテル等のビジネスを妨害してしまう。その結果、蔓延する前に出来るだけ早い段階でトコジラミを検出するのが望ましい。
【００１０】
小さくて機敏で身を隠すトコジラミの習性により、これらを素早く発見して処置しない限り、蔓延を防止しコントロールするのは殆ど不可能である。トコジラミは、壁、天井、床の穴を通って隣の部屋へ移動することが判っている。トコジラミを早期に発見するための装置及び方法が、特にサービス業において必要とされている。
【００１１】
過去にもトコジラミ監視装置を発明しようとする試みが幾つかあったが、これらの装置は概して、商業的に効果的であることが証明されなかった。本発明者はトコジラミの習性のあらゆる側面を研究したが、このような装置が望ましく機能しない一つの要因が、効果的な捕獲構造の欠如であると信じる。
【００１２】
よって、トコジラミは他の多くの害虫と異なり、様々なタイプの粘着トラップに対して耐性を有し、特に発熱体が用いられていないと、他の虫なら捕獲できるトラップであっても渡れてしまう能力を有することが本発明者によって観察された。それ故に、トコジラミを粘着トラップに誘引するタイプのトコジラミ監視装置は効果的でなく、トコジラミはトラップ面を単純に渡って装置外へ出てしまう。
【００１３】
更に、トコジラミは、これらが乗っている面の粗さに対して非常に敏感である。トコジラミは滑らかな面を渡るのを避ける傾向があり、これらを捕獲する前にそのような横断を必要とする現在のトラップを効果のないものにしている。実際に、凸凹面を有し他の昆虫種の捕獲／監視に効果のあるトラップが（トコジラミ誘引物質を含むように変更されても）、これらの面は外見上は起伏のある外観をしているにも係わらず、トコジラミにとっては明らかに滑らかすぎて、トコジラミの捕獲／監視には効果的でないことが発見された。
【００１４】
更に、トコジラミ捕獲装置が他の効果的な捕獲構造例えば落としトラップ等を備えていても、トコジラミが有する身を隠す習性が、このような装置の効果的な能力を駄目にしている。特に、監視装置に誘引されたトコジラミはしばしば、これらの存在を確認できる内部の落としトラップに通じる通路には入らず、装置と装置が載置された面（例えば床や壁）との間を這い回るのが観察された。上述したように、蔓延を防止するためには、可能な限り早期にトコジラミの存在を検出することが重要である。よって、誘引要素で誘引したトコジラミを効果的に捕獲できるトコジラミ監視装置が必要である。更に、トコジラミが存在するか否かを判断するために素早く簡単に点検できるトコジラミ監視装置が必要である。
【発明の概要】
【課題を解決するための手段】
【００１５】
１側面において本発明は、トコジラミ誘引要素と、横断可能面とこの上に設けられた１又は複数の隆起とを有する支持部材を備える停泊部と、を備えるトコジラミ監視装置に関する。停泊部は、装置が載置される面に対して面一となる（ぴったりと接地する）ように構成されている。停泊部は、装置に誘引されたトコジラミが通れる少なくとも１の入り口を規定する。本発明の１側面において、隆起は１又は複数の通路を規定する。１又は複数の通路は、装置に誘引されたトコジラミが１又は複数の通路の中に入り込めるように配置される。本発明の他の側面において、横断可能面は少なくとも約２．５ミクロンの平均表面粗さを有する。
【００１６】
他の側面において、本発明は（ａ）（ｉ）接着剤と（ｉｉ）固体とから成るバインダー混合物を支持部材の面に塗布する工程と、混合物を乾燥させる工程とを含む、トコジラミ用の横断可能面を提供する方法に関する。固体は粒子状固体であるのが好ましい。本発明の更なる側面は、接着剤と粒子状固体とから成る混合物が少なくとも部分的に塗布された面を有する支持部材を備えるトコジラミ用の横断可能面を備える。本発明の１側面において、塗布された面は少なくとも約２．５ミクロンの平均表面粗さを有する。
【００１７】
更に他の側面において、本発明は、（ａ）トコジラミ誘引要素と、（ｂ）（ｉ）少なくとも一部が透明材料で構成されて装置が載置される面に対して面一となる（ぴったりと接地する）ように構成されたベース部と、（ｉｉ）横断可能面と当該横断可能面から垂れ下がる１又は複数の隆起を有する支持部材と、を備える停泊部と、を備えるトコジラミ監視装置に関する。停泊部は、装置に誘引されたトコジラミが通れる１又は複数の入り口を規定する。１又は複数の隆起は１又は複数の通路を規定し、この１又は複数の通路は、少なくとも１の入り口を通って装置内に入り込むトコジラミが１又は複数の通路の中に入り込めるように配置されている。横断可能面の少なくとも一部は、少なくとも約２．５ミクロンの平均表面粗さを有する露出領域である。
【００１８】
他の側面において、本発明は（ａ）（ｉ）水性接着剤と（ｉｉ）粒子状固体とから成るバインダー混合物を支持部材の面に塗布する工程と、（ｂ）面が少なくとも約２．５ミクロンの平均表面粗さを有するように混合物を乾燥させる工程と、を含むトコジラミ用の横断可能面を提供する方法に関する。
【図面の簡単な説明】
【００１９】
【図１】本発明の実施形態に係るトコジラミ監視装置の斜視図。
【００２０】
【図２】図１の監視装置の断面図。
【００２１】
【図３】図１の監視装置の停泊部の拡大断面図。
【００２２】
【図４】図１の監視装置の底面図。
【００２３】
【図５】実施例１で行ったテストで得られたデータを示すグラフ。
【発明を実施するための形態】
【００２４】
１側面において、本発明は、トコジラミ誘引要素と、横断可能面とその上に設けられた１又は複数の隆起とを有する支持部材を有する停泊部と、を備えるトコジラミ監視装置に関する。「横断可能面」には、トコジラミが渡ることのできるあらゆる好適な面が含まれる。横断可能面は少なくとも約２．５ミクロンの表面粗さを有するのが好ましい。停泊部は、装置が載置される面に対して面一となる（ぴったり接地する）ように構成されている。停泊部は、装置に誘引されたトコジラミが通れる少なくとも１の入り口を規定する。本発明の１側面において、隆起は１又は複数の通路を規定する。１又は複数の通路は、装置に誘引されたトコジラミが１又は複数の通路に入り込めるように配置される。
【００２５】
他の側面において、本発明は、（ａ）（ｉ）接着剤と（ｉｉ）固体とから成るバインダー混合物を支持部材の面に塗布する工程と、混合物を乾燥させる工程と、を備えるトコジラミ用の横断可能面を提供するための方法に関する。固体は粒子状固体であるのが好ましい。本発明の更なる側面において、接着剤は水性接着剤から成る。本発明の更なる側面は、接着剤と粒子状固体とから成る混合物が少なくとも部分的に塗布された面を有する支持部材を備えるトコジラミ用の横断可能面を備える。本発明の側面において、塗布された面は、少なくとも約２．５ミクロンの平均表面粗さを有する。
【００２６】
１側面において、本発明は、（ａ）トコジラミ誘引要素と、（ｂ）停泊部と、を備え、停泊部は、（ｉ）少なくとも一部が透明材料で構成され装置が載置される面に対して面一となる（ぴったりと接地する）ように構成されたベース部と、（ｉｉ）横断可能面とこれに従属する１又は複数の隆起とを備える支持部材と、を備える、トコジラミ監視装置に関する。停泊部は、装置に誘引されたトコジラミが通れる少なくとも１の入り口を規定する。１又は複数の隆起は１又は複数の通路を規定し、この１又は複数の通路は、少なくとも１の入り口を通って装置に侵入するトコジラミが１又は複数の通路に入り込めるように配置される。更に、横断可能面の少なくとも一部は、少なくとも約２．５ミクロンの平均表面粗さを有する露出領域である。
【００２７】
他の側面において、本発明は、（ａ）水性接着剤と粒子状固体から成るバインダー混合物を支持部材の面に塗布する工程と、（ｂ）面の平均表面粗さが少なくとも約２．５ミクロンとなるようにバインダー混合物を乾燥させる工程と、を含むトコジラミ用の横断可能面を提供する方法に関する。
【００２８】
本発明の監視装置で採用されるトコジラミ誘引要素は、トコジラミが落とし罠要素の通路に侵入してトラップ領域に閉じ込められるまで通路をたどっていくように、トコジラミを装置内へ効果的に引き寄せるあらゆるトコジラミ誘引物質を含む。採用可能な誘引物質には、二酸化炭素、熱、フェロモン、ヒトの汗成分等が含まれ、これらは全て当業者に知られている。１又は複数の誘引物質の混合物も採用できる。
【００２９】
採用される誘引物質は、有機酸とアルデヒドから成る群の少なくとも１の成分を含むのが好ましく、酪酸、トランス―２−ヘキセン−１―アール（ヘキセナール）、及びトランス−２−オクテン−１−アール（オクテナール）から成る群の少なくとも１の成分を含むのが更に好ましい。
【００３０】
誘引物質は、不飽和アルデヒド成分と有機酸成分とを含むのが特に好ましい。不飽和アルデヒド成分はヘキセナールとオクテナールから成る群から選択された１又は複数のアルデヒドから構成されるのが好ましい。有機酸成分は酪酸であるのが好ましい。アルデヒド成分がヘキセナールとオクテナールの双方を含む場合には、ヘキセナールとオクテナールの比率（ヘキセナール：オクテナール）が約１：５から約５：１で存在するのが好ましく、約３：１から約１：３であるのがより好ましい。トコジラミに対して誘引力を最も発揮するためには、放出されるヘキセナールとオクテナールの最適な濃度は約５０ｎｇ／Ｌ／時から約２００ｎｇ／Ｌ／時であり、放出される酪酸の最適な濃度は約１５ｎｇ／Ｌ／時から約５０ｎｇ／Ｌ／時である。酪酸をヘキセナールとオクテナールに混合すると不安定な組成物が生成されるので、アルデヒド成分と酸成分とを分離しておく必要がある。誘引組成物の各成分を適切な割合で放出させるために、各成分を有機溶媒、例えばＣ８―Ｃ１２アルカンに溶解してもよい。約２０℃〜４０℃の間で温度が変化する状況で装置が使用される場合には、溶媒としてはデカンやウンデカンが特に好ましく、これらの揮発速度はノナンと比較して、このような温度変化による影響を受けにくい。
【００３１】
本発明の１側面において、適切な誘引物質は、約２０００〜３０００ｐｐｍオクテナールの範囲の濃度でデカンに溶解されたオクテナールを含み、約２５００〜２８００ｐｐｍオクテナールであるのが好ましく、約２７００〜２７５０ｐｐｍオクテナールであるのが更に好ましい。オクテナールと共に使用できる第２の適切な誘引物質は、約２００〜２０００ｐｐｍ酪酸の範囲の濃度でデカンに溶解された酪酸であって、約２４０〜４００ｐｐｍ酪酸であるのが好ましい。
【００３２】
各成分を吸収材に含ませても良く、このような吸収剤としては、限定されないが、脱脂綿、繊維化されたセルロース木材パルプ、合成の詰物、ポリエステルの詰物、フェルト、接着されたカード布帛、超高密度ポリエチレンスポンジ、嵩高スパンボンド不織布素材が挙げられる。拡散を調整するために、吸収材を半透膜で包んでも良い。周囲の空中へ拡散できるように１又は複数の孔が開けられた密閉蓋又は半透過性の蓋を有する容器から誘引成分を放出させてもよい。
【００３３】
実施形態では、誘引物質は、不浸透性材料から成り少なくとも１の開口を規定する外殻と、前記外殻に接着されて前記少なくとも１の開口を覆うフィルム材料と、を備えるアンプルに収容される。
【００３４】
好適な実施形態において、アンプルは、少なくとも１の開口を規定する不浸透性材料から成る外殻と、前記外殻の内部に設けられた内部リザーバを規定する多孔質拡散部材と、内部リザーバに収容された誘引物質を含む揮発性液体と、前記外殻に接着されて前記少なくとも１の開口を覆うフィルム部材と、を備え、前記フィルム部材は、前記多孔質拡散部材と前記フィルム部材との間に空隙が生じるように配置され、前記多孔質拡散部材は、揮発性液体の分子が前記多孔質拡散部材を介して拡散することにより前記空隙内へ専ら入ることができるように構成されている。フィルム部材は、誘引物質を所望の割合で拡散させる浸透性材料で構成してもよく、あるいは不浸透性材料で構成し、誘引物質を所望の割合で放出させるための１又は複数の所定の大きさの孔を規定してもよい。
【００３５】
本発明の誘引要素は、トコジラミを誘引できる量の誘引物質が拡散されるように気流を発生させる１又は複数の手段を備えてもよい。望ましい気流を発生させる如何なる手段も採用でき、熱、（二酸化炭素を誘引物質として用いた場合には特に）圧縮ガス、空気ポンプ、ファン等がこれに含まれる。誘引物質が、圧縮されていない空気よりも重い化学的な誘引物質例えばフェロモン、有機酸、その他の誘引物質（上述の混合されたアルデヒド／有機酸混合物を含む）等を含む場合には、好適な気動手段はファンであり、装置は約５〜約５０ｍｌ／ｃｍ２／分の前面風速を有し、約１０〜約４０ｍｌ／ｃｍ２／分がより好ましく、約１５〜約３５ｍｌ／ｃｍ２／分が最も好ましい。
【００３６】
本発明の１側面では、トコジラミ監視装置の停泊部は、（ｉ）ベース部と、（ｉｉ）横断可能面を有する支持部材と、を備える。このような停泊部は、監視装置に誘引されたトコジラミが通れる少なくとも１の入り口を規定する。監視装置の下に隠れようとするトコジラミが坂、斜面、或いは類似の構造を登ることなく入り口に入るように、少なくとも１の入り口は装置の底部に位置するのが好ましい。
【００３７】
停泊部にトコジラミが侵入したか否かを目視で容易に確認できるように、ベース部の少なくとも一部を透明にしてもよい。透明部分は、例えばガラス或いはポリカーボネート等の透明なプラスチック等、トコジラミを追い払わないあらゆる透明材料を用いて形成できる。支持部材が硬質プラスチック材料例えば高耐衝撃性ポリエチレンやアクリロニトリル・ブタジエン・スチレン等から構成される場合には、ポリカーボネートであれば支持部材に対して容易に接合できるため好ましい。
【００３８】
ベース部は、装置が載置される面に対して面一となる（ぴったりと接地する）形状にされている。従って、最も好適な適用においては、装置の向きに応じて監視装置を壁、床、或いは他の好適な面に対してぴったりと接触して載置できるように、ベース部は平面的である。
【００３９】
横断可能面を有する支持部材は、面から外に向かって垂れ下がる１又は複数の隆起を備える。このような１又は複数の隆起は、トコジラミがその中を這うのに十分な寸法を有する１又は複数の通路を規定する。隆起の間隔は、約２ｍｍ〜約１０ｍｍ幅の通路を形成するように離間されるのが好ましい。本発明の１側面においては、隆起の間隔は、約３ｍｍ〜約６ｍｍ幅の通路を形成するように離間されている。隆起により形成される通路の上部が凹型横断面を有する様に、隆起を設計するのが好ましい。トコジラミが停泊部のベース部に接することなく隆起により形成された通路を通って這うことができるように、隆起は十分な高さを有する必要がある。１又は複数の隆起は停泊部のベース部と接触するよう延出しても良い。
【００４０】
横断可能面の露出領域の少なくとも一部、好適には横断可能面の露出領域の全域が、少なくとも約２．５ミクロン、好適には少なくとも約３．０ミクロンの平均表面粗さを有する。ここで用いられた「平均表面粗さ」という用語は、評価長さにおける中心線から測定された粗さ不規則性の算術平均高さを意味する。材料の平均表面粗さは、マール・フェデラル社のポケットサーフ（登録商標）携帯表面粗さゲージを用いて測定できる。軟質材料（例えばタルクやセルロース等）で被覆或いは満たされた面の粗さを測定する際には、注意が必要である。ゲージのダイヤモンド針がこのような軟質材料をせん断或いは押し潰し、測定値が平均表面粗さを正確に示さないことがあるためである。更に、ここで用いられた「露出領域」という用語は、トコジラミが停泊部に侵入する際にトコジラミが接触する横断可能面の表面部分を意味する。１又は複数の通路は、少なくとも１の入り口を通って装置内に侵入するトコジラミが、１又は複数の通路に入り込むことができるように配置されている。
【００４１】
横断可能面を有する支持部材は、トコジラミを追い払わないあらゆる好適な１又は複数の材料から構成される。好適な材料には、硬質プラスチック材料例えば高耐衝撃性ポリエチレンやアクリロニトリル・ブタジエン・スチレン等が含まれる。利用可能な他の材料には、ポリクロロトリフルオロエチレン、ポリ塩化ビニリデン（ｐｏｌｙｖｉｎｙｌｉｄｅｎ  ｃｈｌｏｒｉｄｅ）、高密度ポリエチレン、ポリプロピレン、ボール紙、ワックス処理した板紙（ｗａｘ  ｐａｐｅｒ  ｂｏａｒｄ）、亜鉛メッキされた金属及びアルミニウムが含まれる。
【００４２】
横断可能面を有する支持部材の露出領域を形成するのに用いられる材料の表面が十分な表面粗さを有しない場合には、研削材（例えば紙やすりやワイヤーブラシなど）で表面を処理したり、或いは適切な通路面に適切な材料を付着させたりする（例えば滑らかなプラスチックや金属に布や紙を接着させる）ことで、これらの表面を修正してもよい。好適な実施形態においては、支持部材の少なくとも一部は、適切な表面粗さを提供する充填剤（例えばガラス、ガラス微粒子、又はタルク等）を含有するプラスチック（例えばポリエチレンやポリプロピレン等）から成形できる。他の好適な実施形態においては、横断可能面の露出領域には、（ｉ）水性接着剤と（ｉｉ）粒子状固体とから成るバインダー混合物が塗布される。
【００４３】
特に好ましい実施形態においては、横断可能面を有する支持部材は、例えばアクリロニトリル・ブタジエン・スチレン、ポリエチレン、又はポリプロピレン等の材料からなり、その露出領域には（ｉ）水性接着剤と（ｉｉ）粒子状固体とから成るバインダー混合物が塗布されており、ベース部はポリカーボネートから構成されている。このようなバインダー混合物を使用することにより、２つの部位の接合を妨げることなく（少なくとも約２．５ミクロンの）適切な平均表面粗さを有する横断可能面を提供できる。
【００４４】
使用される水性接着剤は、植物源（例えばデキストリン、デンプン）、タンパク源（例えばカゼイン、血液、魚、大豆、ミルクアルブミン（ｍｉｌｋ  ａｌｂｕｍｅｎ）、又は動物（例えば獣皮、骨）の天然高分子を基にし、或いはポリビニルアルコール、セルロースエーテル、メチルセルロース、カルボキシメチルセルロース、ポリビニルピロリドンを含む可溶性合成高分子を基にする。
【００４５】
十分な粗さを提供し且つトコジラミを追い払わないあらゆる粒子状固体を用いることができる。好適な固体には、軽石、カーボランダム（炭化ケイ素）、カオリン、シリカ、砂、セルロース、タルク、及びこれらの混合物が含まれる。カオリンは特に好ましい。
【００４６】
水性接着剤は一般的に、約１％〜約７０％重量の接着剤を含有して残りが水であり、より好適には約２０％〜約６０％重量の接着剤を含有して残りが水であり、最も好適には約４０％重量の接着剤を含有して残りが水である。粒子状固体は通常、接着剤／水混合物の容積に基づいて、約１％〜約３０％ｗ／ｖの量で存在する。不活性粒子状物質は、約５〜約５０ミクロンの平均粒径を有するのが好ましい。
【００４７】
他の側面においては、本発明は、（ａ）（ｉ）水性接着剤と（ｉｉ）粒子状固体とから成るバインダー混合物を支持部材の面に塗布する工程と、（ｂ）面の平均表面粗さが少なくとも約２．５ミクロンとなるように混合物を乾燥させる工程と、を含むトコジラミ用の横断可能面を提供する。
【００４８】
十分な量のバインダー混合物を、横断可能にされる面を覆うために十分に塗布させる。バインダー混合物は、空気乾燥させても良いし、他の手段例えば加熱等によって乾燥させても良い。
【００４９】
本発明は、添付の図面を参照することでより良く理解されるが、これは特定の実施形態を例示するためのものであって、本発明を如何なる意味においても限定するものではない。
【００５０】
図１は、本発明のトコジラミ監視装置の実施形態の斜視図である。監視装置１０は、誘引要素を収容して停泊部３０を覆うカバーハウジング２０を備える。任意の回転蓋／アクチュエータ４０はカバーハウジング２０から延出している。通路３５は、停泊部の支持部材から延出する隆起３４により形成され、装置に誘引されたトコジラミが内部に入り込めるように、停泊部により規定された開口に接続されている。停泊部３０の任意のベース部３６は、装置が載置される面に対してぴったり接触するように構成されている。水平方向に配置された装置が図示されているが、停泊部のベース部又は停泊部を壁や他の鉛直面に対してぴったり接触させて、装置を縦方向に配置することもできる。
【００５１】
カバーハウジング２０と回転蓋／アクチュエータ４０は、トコジラミを追い払わない１又は複数の好適なあらゆる材料から形成できる。好適な材料には、プラスチック例えば高耐衝撃性ポリエチレン、ポリエチレンテレフタレート、アクリロニトリル・ブタジエン・スチレンが含まれる。トコジラミは明るい面よりも、より暗い面を選ぶ傾向があるため、装置は、例えば茶色の色合い、赤色の色合い、黒、濃い灰色、濃紺、紺青色、又は濃いスミレ色等の暗い色であるのが好ましい。一般的には、写真用の標準反射板（グレーカード）よりも暗い色が好ましい。
【００５２】
図２は図１の監視装置の断面図である。カバーハウジング２０は誘引要素を収容し、横断可能面を有する支持部材３２と任意のベース部３６から構成される停泊部３０の上方に配置されている。ベース部３６は透明材料から形成することができ、装置が載置される面に対してぴったり接触するように構成されている。ベース部３６を用いない場合には、支持部材３２の横断可能面が、面に対してぴったり接触するように構成される。支持部材３２は、通路３５を規定する隆起３４を備える。誘引物質により装置に誘引されたトコジラミが這って内部に入り込めるように、通路３５は十分な幅と高さを有する。
【００５３】
監視装置１０は、誘引物質を収容するように構成された誘引物質収容手段５０（例えば誘引組成物を収容したバイアル）を有する誘引要素と、任意のファン５４とを備える。ファンモータ５６はバッテリ５８で駆動される。エアダム６０は、誘引物質が望ましい表面速度で監視装置から排出されるように、ファン５４からの気流を制御する。回転蓋／アクチュエータ４０は、支持部材４５と貫通部材４７とを有する。回転蓋／アクチュエータ４０は、これが挿入されるカバーハウジング２０の開口よりも大きな径を有し、貫通部材４７は、誘引物質収容手段５０の内部に配置されている、誘引組成物を含むポリマーバイアルの金属箔の蓋に穴を開けられるように、下方位置へ回転可能とされている。カバーハウジング２０には、回転蓋／アクチュエータ４０が回転するときに支持部材４５の停止ポイントとして機能できる複数の切り込みを形成してもよい。第１のポイントは始点として機能し、装置使用前は、ここで回転蓋／アクチュエータ４０が上方位置に固定される（図２の線Ａ）。装置を作動するためには、回転蓋／アクチュエータ４０を貫通位置として機能する第２のポイントへ回転させる。この位置は、誘引物質収容手段５０に配置された誘引物質収容要素が貫通要素４５のすぐ下に位置するように設定されている。誘引組成物を収容したポリマーバイアルの金属箔の蓋に貫通要素４５が穴を開けられるように、このポイントで回転蓋／アクチュエータ４０が（図２の線Ｂまで）押下される。金属箔に穴を開けた後は、回転蓋／アクチュエータ４０は上方位置まで戻され、第３のポイントまで回転される。第３のポイントは、装置の作動中に、使用中のロック位置として機能できる。この位置において、誘引組成物は周囲の空中へ拡散できる。ファン５４は、誘引組成物を蓋／アクチュエータ４０の下方のカバーハウジング２０の開口に向かわせる望ましい気流を、穴の開いた金属泊の上に発生させる。誘引物質に誘引されたトコジラミは停泊部３０に入り込む。
【００５４】
図３は、図１の監視装置の停泊部の拡大断面図である。停泊部３０は、横断可能面を有する支持部材３２と任意のベース部３６とを備える。通路３５は、横断可能面を有する支持部材３２から垂れ下がる隆起により規定されている。通路３５の外側部分は開放されて、停泊部への入り口として機能する。横断可能面３２の露出領域３７は、少なくとも約２．５ミクロンの平均表面粗さを有する。好適には、このような粗さは、接着剤と粒子状固体とから成るバインダー混合物を露出領域に塗布することで得られる。接着剤は水性接着剤であるのが好ましい。
【００５５】
図４は、図１の監視装置の底面図である。隆起３４により形成された通路３５は、透明なベース部材を通してはっきりと視認できる。従って、通路の中にいるトコジラミの存在は、装置を持ち上げて視認することにより判断できる。逆Ｖ字型のパターンが図示されているが、停泊部からトコジラミが抜け出すのをより困難にする迷路を含む如何なるパターンも採用できることは、当業者は理解するであろう。
【実施例】
【００５６】
実施例１
６０ｘ４０ｘ２２ｃｍ（Ｌ：Ｗ：Ｈ）のポリスチレン容器を用いてテスト領域を構成した。６０ｘ４０ｃｍの濾過紙を底に貼り付け、トコジラミ用の歩行面を作成した。テスト領域の一端に、プラスチックの三角片（１６ｃｍ高さｘ２５ｃｍ長さ）を、容器の側面の中央と底面に接着して仕切りを作り、仕切りの両側を同じ面積にした。トコジラミのトラップ領域として機能するベースへ圧縮空気を所定速度で下方に向かって供給するように、この仕切りの両側それぞれにカバーを介してタイゴン（登録商標）チューブを配置した。落とし罠領域の上端と下端との距離は２．５ｍｍであった。
【００５７】
コントロールトラップでは誘引物質を用いず、テストトラップには２本の１００マイクロリットルピペットを置いた。各ピペット（Ｄｒｕｍｍｏｎｄ  Ｗｉｒｅｔｒｏｌ  １００μＬ）の一端はパラフィルムで密封し、他端は開放したままにした。１本目のピペットには、重量比で７２：２５のヘキセナールとオクテナールを含む３００ｐｐｍの溶液であって、デカンにアルデヒドを溶解して調製したものを充填した。２本目のピペットには、ノナンに酪酸を溶解した２００ｐｐｍの溶液を充填した。
【００５８】
コントロールゾーン及び実験ゾーンから最も離れた場所で、逆さにした９０ｍｍのペトリ皿の中に５０匹のトコジラミ（Ｃｉｍｅｘ  ｌｅｃｔｕｌａｒｉｕｓ）を閉じ込めて、トコジラミがおとなしくなるまで待った。ペトリ皿を取り外して実験を開始し、２時間後に観察した。この実験の結果を図５のグラフに示す。
【００５９】
図５のグラフでは、三角は実験ゾーンにいたトコジラミの数を示し、四角はトラップの中、上、又は下にいたトコジラミの数を示し、菱形はトラップの中にいたトコジラミの数を示す。
【００６０】
このデータから、最も効果的な条件下においても、比較的少ない割合のトコジラミしか実際に落としトラップに入らなかったことが分かる。
【００６１】
実施例２
実施例１で説明したのと同様の領域と、図１〜図３に示すものと同様の停泊部を有するトコジラミ監視装置を用いて、一連の実験を行った。使用された誘引物質は、オクテナール、トランスー２ーオクテンー１アール（１．３９３ｍＬのノナンに３．８マイクロリットルのオクテナールを溶解したもの）である。各実験において、５０匹のトコジラミを領域に置いて、２時間後に停泊部にいたトコジラミの数を記録した。露出領域、即ち停泊部の横断可能面（ＡＢＳから成形されたもの）は後述のように修正された。
【００６２】
比較対象として、実施例Ａを行った。ここでは、同一の誘引物質を用いたが、カバーハウジングに落としトラップを設け、停泊部は設けなかった。各実験を２回ずつ行って得られた平均結果を次のテーブルに示す。
【表１】
2013536688.tif 000003
【００６３】
３０グラムのカオリン（平均粒径が５〜１０ミクロンのもの）を、（ａ）４０重量パーセントの水性接着剤（Ｗ．Ｗ．Ｈｅｎｒｙ社のＨｅｎｒｙ  ４３０  ＣｌｅａｒＰｒｏ）と（ｂ）６０重量パーセントの脱イオン水と、から成る１００ｍＬの混合物に加え、接着剤／カオリンバインダー混合物を調製した。容器に１０グラムのカオリンと３グラムのポリビニルアルコールＰＶＡ（Ｃｅｌｖｏｌ  ２４−２０３）を入れ、全容積が１００ｍＬになるまで脱イオン水を加えて、ＰＶＡ／カオリンバインダー混合物を調製した。
【００６４】
上記データは、停泊部の基板の露出面を粗くして横断可能面を形成することで、停泊部に入り込むトコジラミの数を大幅に増加できることを示している。このデータはまた、本発明のプロセスに従って基板を処理することで、より良い結果が得られることを示している。
【００６５】
実施例３
２０重量パーセントのガラス粒子を含むポリプロピレン（ＰＰ―Ｇ）を成形して１．５インチｘ２．０インチの平たい試片を作成した。試片の平均表面粗さをマールポケットサーフ（Ｍａｈｒ  Ｐｏｃｋｅｔ  Ｓｕｒｆ：登録商標）携帯表面粗さゲージを用いて計測した。約７０度の角度で傾斜するホルダの上に試片を配置した。成虫のトコジラミ（Ｃｉｍｅｘ  ｌｅｃｔｕｌａｒｉｕｓ）を試片の中央に置き、約５分間、目視で観察し、トコジラミが面の上を歩く／登るか、或いは面にしがみつけずに落ちてしまうか確認した。
【００６６】
ポリエチレン（ＰＥ）から成る試片、１００グリットの紙やすりでやすられたポリプロピレン（ＰＰ）から成る試片、高密度ポリエチレン（３５ｍｅｌｔ）（ＨＤＰＥ）から成る試片についても評価した。評価の結果を纏めたものを次に示す。
【表２】
2013536688.tif 000004
【００６７】
上の結果は、トコジラミは少なくとも約２．５ミクロンの平均表面粗さを有する面には登るが、約２．３ミクロン未満の平均表面粗さを有する面には登らないことを示している。
【００６８】
実施例４
ポリプロピレン又はポリエチレンから成る１．５インチｘ２．０インチの平たい試片の面に後述のバインダー混合物を塗布し、面を乾燥させた（面の乾燥は、空気乾燥又は下記のテーブルに示すヒートガンを用いて行われ、特に言及がない限り、混合物は空気乾燥された）。
【００６９】
リストされた重量パーセントの接着剤と十分な重量パーセントの脱イオン水とを混合して１００％の混合物を調製することで、接着剤（Ｗ．Ｗ．Ｈｅｎｒｙ社のＨｅｎｒｙ  ４３０  ＣｌｅａｒＰｒｏ）を含むバインダー製剤（例えば、４０重量パーセントの接着剤と６０重量パーセントの脱イオン水から成る４０％接着剤製剤）を得た。１００ｍＬの表示された接着剤製剤に、リストされた割合に相当するグラム数の粒子状物質を加えることで、接着剤バインダー製剤と粒子状物質から成るバインダー製剤を調製した（例えば、４０重量パーセントの接着剤と６０重量パーセントの脱イオン水から成る組成物に軽石を２０グラム混合し、４０％接着剤＋２０％軽石バインダーを調製した）。
【００７０】
リストされた割合に相当するグラム数のＰＶＡと粒子状物質とを目盛り付きの器に入れ、全容積が１００ｍＬになるまで脱イオン水を加えることで、ポリビニルアルコール（ＰＶＡ）（Ｃｅｌｖｏｌ  ２４−２０３）組成物を得た。このように、２４グラムのＰＶＡと２０グラムの軽石を目盛り付きの器に入れて、全容積が１００ｍＬになるまで脱イオン水を十分に加えることで、２４％ＰＶＡと２０％軽石の組成物を調製した。
【００７１】
試片に接着剤を塗布し、接着剤が乾燥する前に、指示された粒子状物質を薄く撒き散らして、スプリンクル試片を作成した。
【００７２】
使用したカオリンの平均粒径ｄ（０．９）は５〜１０ミクロンであった。使用したセルロース（線維性媒体）は、Ｓｉｇｍａ−Ａｌｄｒｉｃｈのカタログ＃Ｃ６２８８であり、使用した軽石は米国のグローベ社（Ｇｒｏｂｅｔ）の磨き粉（Ｐｏｌｉｓｈｉｎｇ  Ｐｏｗｄｅｒｓ）＃２３．４０２であった。
【００７３】
約７０度の角度で傾斜するホルダの上に各試片を設置した。成虫のトコジラミ（Ｃｉｍｅｘ  ｌｅｃｔｕｌａｒｉｕｓ）を試片の中央に置き、約５分間、目視で観察し、トコジラミが面の上を歩く／登るか、或いは面にしがみつけずに落ちてしまうか確認した。評価の結果を纏めたものを次に示す。
【表３−１】
2013536688.tif 000005
【表３−２】
2013536688.tif 000006
＊トコジラミは６０％及び７０％接着剤製剤については、幾分困難ではあったが登ることができた。これは、製剤が完全には乾燥していなく、虫が面を横断できるだけの粘着性を有していたためと思われる。
【００７４】
実施例５
以下に示すように６０グラム（６％）、３０グラム（３％）、又は１５グラム（１．５％）のＰＶＡ（Ｃｅｌｖｏｌ  ２４−２０３）を１リットルの脱イオン水に溶解させて、ポリビニルアルコール溶液を調製した。１００ｍＬの各ＰＶＡ溶液に、不活性固体を１０グラム加えた。テストＰＶＡ混合物を、約１．５インチｘ２インチ寸法のポリプロピレン（ＰＰ）又はポリエチレン（ＰＥ）プラスチック試片に塗布し、空気乾燥させた。使用されたカオリンの平均粒径ｄ（０．９）は５〜１０ミクロンであり、使用されたカーボランダムの平均粒径ｄ（０．９）は約４５ミクロンであった。使用された軽石は米国のグローベ社（Ｇｒｏｂｅｔ）の磨き粉（Ｐｏｌｉｓｈｉｎｇ  Ｐｏｗｄｅｒｓ）＃２３．４０２であった。
【００７５】
約７０度の角度で傾斜するホルダの上に、処理された試片を設置した。成虫のトコジラミＢＢ（Ｃｉｍｅｘ  ｌｅｃｔｕｌａｒｉｕｓ）を処理された面の中央に置き、約５分間、目視で観察し、虫が面の上を歩く／登るか、或いは面にしがみつけずに落ちてしまうか確認した。評価の結果を纏めたものを次に示す。
【表４】
2013536688.tif 000007
【図１】
2013536688.tif 000008
【図２】
2013536688.tif 000009
【図３】
2013536688.tif 000010
【図４】
2013536688.tif 000011
【図５】
2013536688.tif 000012
【国際調査報告】
2013536688.tif 000013
2013536688.tif 000014